(57)【特許請求の範囲】
【請求項１】
中間構成要素で実行されるアクセスネットワークとのデータ接続を提供するための方法であって、
ワイヤレスデバイスのスポンサー付きアプリケーションから、前記ワイヤレスデバイス上での前記スポンサー付きアプリケーションの使用に関連する宛先へのデータ接続を求める要求を受信するステップであって、前記要求は、前記宛先の第１識別子と前記ワイヤレスデバイスの第２識別子とを具備する、ステップと、
前記第１識別子に基づいて、前記宛先が前記スポンサー付きアプリケーションにスポンサー付きデータ接続を提供するためのスポンサー付き宛先であるか否かを判断するステップと、
前記第２識別子に基づいて、前記ワイヤレスデバイスは前記スポンサー付きデータ接続の受信を許可されているかどうかを判断するステップと、
前記宛先が前記スポンサー付き宛先であり、前記ワイヤレスデバイスは前記スポンサー付きデータ接続の受信を許可されている、と検出すると、前記ワイヤレスデバイス上で前記スポンサー付きアプリケーションを使用するために、前記アクセスネットワークを介した前記ワイヤレスデバイスから前記スポンサー付き宛先への前記スポンサー付きデータ接続を有効にするステップと、
を含む方法。
【請求項２】
前記スポンサー付きデータ接続は、データ接続スポンサーによって少なくとも部分的に代金が支払われる、請求項1に記載の方法。
【請求項３】
前記データ接続スポンサーは、アプリケーションプロバイダまたは第三者エンティティのうちの1つである、請求項2に記載の方法。
【請求項４】
前記スポンサー付きデータ接続は、無料のデータ接続または低減された料金のデータ接続のうちの1つを含む、請求項1に記載の方法。
【請求項５】
スポンサー付きデータ接続しきい値に従って前記スポンサー付きデータ接続を制限するステップをさらに含む、請求項1に記載の方法。
【請求項６】
前記宛先がスポンサー付き宛先であるか否かを前記判断するステップは、前記ワイヤレスデバイスによるデータ接続を求める前記要求の前に、データ接続スポンサーおよび前記アクセスネットワークのうちの少なくとも1つによってさらに判断される、請求項1に記載の方法。
【請求項７】
前記宛先がスポンサー付き宛先であるか否かを前記判断するステップは、データ接続を求める前記要求に応答して、データ接続スポンサーおよび前記アクセスネットワークのうちの少なくとも1つとの間で交渉される、請求項1に記載の方法。
【請求項８】
前記スポンサー付きデータ接続しきい値は、交換されるデータの量、前記スポンサー付きデータ接続を使用することが可能なユーザの数、前記スポンサー付きデータ接続を使用する回数、時間、またはそれらの任意の組合せのうちの1つを含む、請求項5に記載の方法。
【請求項９】
前記スポンサー付きデータ接続しきい値は、前記ワイヤレスデバイスによるデータ接続を求める前記要求の前に、アプリケーションプロバイダおよび前記アクセスネットワークのうちの少なくとも1つによって決定される、請求項5に記載の方法。
【請求項１０】
前記スポンサー付きデータ接続しきい値は、データ接続を求める前記要求に応答して交渉される、請求項5に記載の方法。
【請求項１１】
前記中間構成要素は、アプリケーション中間構成要素、アクセスネットワーク中間構成要素、アプリケーションプロバイダ中間構成要素、データ接続スポンサー構成要素またはワイヤレスデバイス中間構成要素のうちの1つを含む、請求項1に記載の方法。
【請求項１２】
前記中間構成要素において、前記ワイヤレスデバイス上のスポンサー付きアプリケーションに関連する前記スポンサー付き宛先へのスポンサー付きデータ接続の前記要求を受信するステップと、
前記中間構成要素を介して、前記第１及び第２識別子が前記スポンサー付きアプリケーションに対応するか否かを判断するステップと、
前記第１及び第２識別子が前記スポンサー付きアプリケーションに対応するときに、前記スポンサー付きデータ接続を提供するステップと
をさらに含む、請求項1に記載の方法。
【請求項１３】
前記中間構成要素を介して、前記スポンサー付きデータ接続がスポンサー付きデータ接続しきい値の範囲内に収まるように前記スポンサー付きデータ接続を監視するステップと、
前記スポンサー付きデータ接続が前記スポンサー付きデータ接続しきい値を超える場合に、前記スポンサー付きデータ接続を制限するステップと
をさらに含む、請求項12に記載の方法。
【請求項１４】
前記スポンサー付きデータ接続しきい値は、交換されるデータの量、前記スポンサー付きデータ接続を使用することが可能なユーザの数、前記スポンサー付きデータ接続を使用する回数、時間、またはそれらの任意の組合せのうちの1つを含む、請求項13に記載の方法。
【請求項１５】
前記スポンサー付きデータ接続の支払いをデータ接続スポンサーから受領するステップ
をさらに含む、請求項1に記載の方法。
【請求項１６】
前記ワイヤレスデバイスは、前記アクセスネットワークとの間でデータ接続プランを有さず、前記アクセスネットワークにアクセスするために前記スポンサー付きデータ接続を使用する、請求項1に記載の方法。
【請求項１７】
前記宛先が前記スポンサー付き宛先ではないときに、前記アクセスネットワークへの接続に関するデータプランを購入してもらうようにユーザに提示するためのプロンプトを生成するステップ
をさらに含む、請求項1に記載の方法。
【請求項１８】
前記アクセスネットワークが前記スポンサー付きデータ接続を提供する、請求項1に記載の方法。
【請求項１９】
前記アクセスネットワークと通信している別個のエンティティが前記スポンサー付きデータ接続を提供する、請求項1に記載の方法。
【請求項２０】
アクセスネットワークとのデータ接続を提供するように構成された、中間構成要素上の少なくとも1つのプロセッサであって、
ワイヤレスデバイスのスポンサー付きアプリケーションから、前記ワイヤレスデバイス上での前記スポンサー付きアプリケーションの使用に関連する宛先へのデータ接続を求める要求を受信するための第1のモジュールであって、前記要求は、前記宛先の第１識別子と前記ワイヤレスデバイスの第２識別子とを具備する、第1のモジュールと、
前記第１識別子に基づいて、前記宛先が前記スポンサー付きアプリケーションにスポンサー付きデータ接続を提供するためのスポンサー付き宛先であるか否かを判断するための第2のモジュールと、
前記第２識別子に基づいて、前記ワイヤレスデバイスは前記スポンサー付きデータ接続の受信を許可されているかどうかを判断するための第3のモジュールと、
前記宛先が前記スポンサー付き宛先であり、前記ワイヤレスデバイスは前記スポンサー付きデータ接続の受信を許可されている、と検出すると、前記ワイヤレスデバイス上で前記スポンサー付きアプリケーションを使用するために、前記アクセスネットワークを介した前記ワイヤレスデバイスから前記スポンサー付き宛先への前記スポンサー付きデータ接続を有効にするための第4のモジュールと、
を含むプロセッサ。
【請求項２１】
中間構成要素上のコンピュータで実行可能なコンピュータプログラムであって、
ワイヤレスデバイスのスポンサー付きアプリケーションから、前記ワイヤレスデバイス上での前記スポンサー付きアプリケーションの使用に関連する宛先へのデータ接続を求める要求を受信することをコンピュータに行わせるための少なくとも1つの命令であって、前記要求は、前記宛先の第１識別子と前記ワイヤレスデバイスの第２識別子とを具備する、命令と、
前記第１識別子に基づいて、前記宛先が前記スポンサー付きアプリケーションにスポンサー付きデータ接続を提供するためのスポンサー付き宛先であるか否かを判断することを前記コンピュータに行わせるための少なくとも1つの命令と、
前記第２識別子に基づいて、前記ワイヤレスデバイスは前記スポンサー付きデータ接続の受信を許可されているかどうかを判断することを前記コンピュータに行わせるための少なくとも1つの命令と、
前記宛先が前記スポンサー付き宛先であり、前記ワイヤレスデバイスは前記スポンサー付きデータ接続の受信を許可されている、と検出すると、前記ワイヤレスデバイス上で前記スポンサー付きアプリケーションを使用するために、アクセスネットワークを介した前記ワイヤレスデバイスから前記スポンサー付き宛先への前記スポンサー付きデータ接続を有効にすることを前記コンピュータに行わせるための少なくとも1つの命令と、
を含むコンピュータプログラム。
【請求項２２】
ワイヤレスデバイスのスポンサー付きアプリケーションから、前記ワイヤレスデバイス上での前記スポンサー付きアプリケーションの使用に関連する宛先へのデータ接続を求める要求を受信するための手段であって、前記要求は、前記宛先の第１識別子と前記ワイヤレスデバイスの第２識別子とを具備する、手段と、
前記第１識別子に基づいて前記宛先が前記スポンサー付きアプリケーションにスポンサー付きデータ接続を提供するためのスポンサー付き宛先であるか否かを判断するための手段と、
前記第２識別子に基づいて、前記ワイヤレスデバイスは前記スポンサー付きデータ接続の受信を許可されているかどうかを判断する手段と、
前記宛先が前記スポンサー付き宛先であり、前記ワイヤレスデバイスは前記スポンサー付きデータ接続の受信を許可されている、と検出すると、前記ワイヤレスデバイス上で前記スポンサー付きアプリケーションを使用するために、アクセスネットワークを介した前記ワイヤレスデバイスから前記スポンサー付き宛先への前記スポンサー付きデータ接続を有効にするための手段と、
を含む装置。
【請求項２３】
中間構成要素を通じて、アクセスネットワークとのデータ接続を提供するための装置であって、
ワイヤレスデバイスのスポンサー付きアプリケーションから、前記ワイヤレスデバイス上での前記スポンサー付きアプリケーションの使用に関連する宛先へのデータ接続を求める要求を受信するように構成されているデータ接続構成要素であって、前記要求は、前記宛先の第１識別子と前記ワイヤレスデバイスの第２識別子とを具備する、データ接続構成要素と、
前記第１識別子に基づいて、前記宛先が前記スポンサー付きアプリケーションにスポンサー付きデータ接続を提供するためのスポンサー付き宛先であるか否かを判断するように構成され、検知構成要素は、前記第２識別子に基づいて、前記ワイヤレスデバイスは前記スポンサー付きデータ接続の受信を許可されているかどうかを判断するように構成され、前記宛先が前記スポンサー付き宛先であり、前記ワイヤレスデバイスは前記スポンサー付きデータ接続の受信を許可されている、と検出すると、前記ワイヤレスデバイス上で前記スポンサー付きアプリケーションを使用するために、前記アクセスネットワークを介した前記ワイヤレスデバイスから前記スポンサー付き宛先への前記スポンサー付きデータ接続を有効にする、アクセス構成要素と、
を含む、装置。
【請求項２４】
前記スポンサー付きデータ接続は、データ接続スポンサーによって少なくとも部分的に代金が支払われる、請求項23に記載の装置。
【請求項２５】
前記データ接続スポンサーは、アプリケーションプロバイダまたは第三者エンティティのうちの1つである、請求項24に記載の装置。
【請求項２６】
前記スポンサー付きデータ接続は、無料のデータ接続または低減された料金のデータ接続のうちの1つを含む、請求項23に記載の装置。
【請求項２７】
スポンサー付きデータ接続しきい値に従って前記スポンサー付きデータ接続を制限するように構成されているフィルタリング構成要素をさらに含む、請求項23に記載の装置。
【請求項２８】
前記スポンサー付きデータ接続しきい値は、交換されるデータの量、前記スポンサー付きデータ接続を使用することが可能なユーザの数、前記スポンサー付きデータ接続を使用する回数、時間、またはそれらの任意の組合せのうちの1つを含む、請求項27に記載の装置。
【請求項２９】
前記スポンサー付きデータ接続しきい値は、前記ワイヤレスデバイスによるデータ接続を求める前記要求の前に、アプリケーションプロバイダおよび前記アクセスネットワークのうちの少なくとも1つによって決定される、請求項27に記載の装置。
【請求項３０】
前記スポンサー付きデータ接続しきい値は、データ接続を求める前記要求に応答して交渉される、請求項27に記載の装置。
【請求項３１】
前記検知構成要素は、前記ワイヤレスデバイスによるデータ接続を求める前記要求の前に、前記宛先がスポンサー付き宛先であるか否かを判断するようにさらに構成されている、請求項23に記載の装置。
【請求項３２】
前記検知構成要素は、データ接続を求める前記要求に応答して、データ接続スポンサーおよび前記アクセスネットワークのうちの少なくとも1つとの間で交渉することによって、前記宛先がスポンサー付き宛先であるか否かを判断するようにさらに構成されている、請求項23に記載の装置。
【請求項３３】
前記中間構成要素は、アプリケーション中間構成要素、アクセスネットワーク中間構成要素、アプリケーションプロバイダ中間構成要素、データ接続スポンサー構成要素またはワイヤレスデバイス中間構成要素のうちの1つを含む、請求項23に記載の装置。
【請求項３４】
前記中間構成要素は、前記要求を受信し、前記第１及び第２識別子が前記スポンサー付きアプリケーションに対応するか否かを判断し、前記第１及び第２識別子が前記スポンサー付きアプリケーションに対応する場合に前記スポンサー付きデータ接続を提供するようにさらに構成されている、請求項23に記載の装置。
【請求項３５】
前記中間構成要素は、前記スポンサー付きデータ接続がスポンサー付きデータ接続しきい値の範囲内に収まるように前記スポンサー付きデータ接続を監視し、前記スポンサー付きデータ接続が前記スポンサー付きデータ接続しきい値を超える場合に前記スポンサー付きデータ接続を制限するようにさらに構成されている、請求項34に記載の装置。
【請求項３６】
前記スポンサー付きデータ接続しきい値は、交換されるデータの量、前記スポンサー付きデータ接続を使用することが可能なユーザの数、前記スポンサー付きデータ接続を使用する回数、時間、またはそれらの任意の組合せのうちの1つを含む、請求項35に記載の装置。
【請求項３７】
前記スポンサー付きデータ接続の支払いをデータ接続スポンサーから受領するように構成されている支払い構成要素をさらに含む、請求項23に記載の装置。
【請求項３８】
前記ワイヤレスデバイスは、前記アクセスネットワークとの間でデータ接続プランを有さず、前記アクセスネットワークにアクセスするために前記スポンサー付きデータ接続を使用する、請求項23に記載の装置。
【請求項３９】
前記宛先が前記スポンサー付き宛先ではない場合に、前記アクセスネットワークへの接続に関するデータプランを購入してもらうようにユーザに提示するためのプロンプトを生成するように構成されている通知構成要素をさらに含む、請求項23に記載の装置。
【請求項４０】
前記アクセスネットワークが前記スポンサー付きデータ接続を提供する、請求項23に記載の装置。
【請求項４１】
前記アクセスネットワークと通信している別個のエンティティが前記スポンサー付きデータ接続を提供する、請求項23に記載の装置。
【請求項４２】
データ接続を求めるスポンサー付きアプリケーションからの要求を中間構成要素に送るステップであって、前記スポンサー付きアプリケーションの使用に関連する宛先を前記要求が識別し、前記要求は、前記宛先の第１識別子とワイヤレスデバイスの第２識別子とを具備する、ステップと、
前記第１識別子に基づいて、前記宛先が前記スポンサー付きアプリケーションにスポンサー付きデータ接続を提供するためのスポンサー付き宛先であり、前記第２識別子に基づいて、前記ワイヤレスデバイスが前記スポンサー付きデータ接続の受信を許可されていると前記中間構成要素が判断したことに応じて、前記要求に応答して前記宛先にアクセスするためのデータ接続を確立するステップであって、前記データ接続は、前記スポンサー付きアプリケーションとともに使用する前記スポンサー付き宛先へのスポンサー付き前記データ接続を含む、ステップと、
前記スポンサー付きアプリケーションによって、前記スポンサー付きデータ接続を使用して前記スポンサー付き宛先にアクセスするステップと、
を含む、データ接続を要求するための方法。
【請求項４３】
前記スポンサー付きデータ接続は、第三者が代金を支払ったデータ接続、無料のデータ接続、または低減された料金のデータ接続のうちの少なくとも1つを含む、請求項42に記載の方法。
【請求項４４】
前記スポンサー付きデータ接続に対応する前記スポンサー付きアプリケーションに関するアプリケーションステータス情報を提示するステップをさらに含む、請求項42に記載の方法。
【請求項４５】
前記アプリケーションステータス情報は、利用可能なスポンサー付きデータ接続、前記スポンサー付きデータ接続のための残存するデータ使用量、または前記スポンサー付きデータ接続のための利用可能な割当て量のうちの1つを含む、請求項44に記載の方法。
【請求項４６】
1つまたは複数の利用可能なアプリケーションのリストを受信するステップと、
前記1つまたは複数の利用可能なアプリケーションの前記リストを提示するステップと、
前記要求とともに転送する、前記1つまたは複数の利用可能なアプリケーションの前記リストからのスポンサー付きアプリケーションの選択を受信するステップと、
前記要求とともに前記選択されたアプリケーションの識別情報を転送するステップと
をさらに含む、請求項42に記載の方法。
【請求項４７】
前記1つまたは複数の利用可能なアプリケーションはスポンサー付きアプリケーションを含む、請求項46に記載の方法。
【請求項４８】
前記スポンサー付きアプリケーションに関する割当て満了通知を受信し提示するステップをさらに含み、前記割当て満了通知は、ユーザまたはデータの最大数が使用されたときに受信される、請求項42に記載の方法。
【請求項４９】
前記ワイヤレスデバイスの前記第２識別子が承認されたワイヤレスデバイス識別情報に対応することを検出すると前記データ接続が確立される、請求項42に記載の方法。
【請求項５０】
データ接続を求めるスポンサー付きアプリケーションからの要求を中間構成要素に送るための第1のモジュールであって、前記スポンサー付きアプリケーションの使用に関連する宛先を前記要求が識別し、前記要求は、前記宛先の第１識別子とワイヤレスデバイスの第２識別子とを具備する、第1のモジュールと、
前記第１識別子に基づいて、前記宛先が前記スポンサー付きアプリケーションにスポンサー付きデータ接続を提供するためのスポンサー付き宛先であり、前記第２識別子に基づいて、前記ワイヤレスデバイスが前記スポンサー付きデータ接続の受信を許可されていると前記中間構成要素が判断したことに応じて、前記要求に応答して前記宛先にアクセスするためのデータ接続を確立するための第2のモジュールであって、前記スポンサー付きアプリケーションとともに使用する前記スポンサー付き宛先へのスポンサー付きデータ接続を前記データ接続が含む、第2のモジュールと、
前記スポンサー付きアプリケーションが前記スポンサー付きデータ接続を使用して前記スポンサー付き宛先にアクセスできるようにするための第3のモジュールと、
を含む、データ接続を要求するように構成された少なくとも1つのプロセッサ。
【請求項５１】
データ接続を求めるスポンサー付きアプリケーションからの要求を中間構成要素に送ることをコンピュータに行わせるための少なくとも1つの命令であって、前記スポンサー付きアプリケーションの使用に関連する宛先を前記要求が識別し、前記要求は、前記宛先の第１識別子とワイヤレスデバイスの第２識別子とを具備する、少なくとも1つの命令と、
前記第１識別子に基づいて、前記宛先が前記スポンサー付きアプリケーションにスポンサー付きデータ接続を提供するためのスポンサー付き宛先であり、前記第２識別子に基づいて、前記ワイヤレスデバイスが前記スポンサー付きデータ接続の受信を許可されていると前記中間構成要素が判断したことに応じて、前記要求に応答して前記宛先にアクセスするためのデータ接続を確立することを前記コンピュータに行わせるための少なくとも1つの命令であって、前記スポンサー付きアプリケーションとともに使用する前記スポンサー付き宛先へのスポンサー付きデータ接続を前記データ接続が含む、少なくとも1つの命令と、
前記スポンサー付きアプリケーションが前記スポンサー付きデータ接続を使用して前記スポンサー付き宛先にアクセスできるようにするための少なくとも1つの命令と
を含むコンピュータプログラム。
【請求項５２】
データ接続を求めるスポンサー付きアプリケーションからの要求を中間構成要素に送るための手段であって、前記スポンサー付きアプリケーションの使用に関連する宛先を前記要求が識別し、前記要求は、前記宛先の第１識別子とワイヤレスデバイスの第２識別子とを具備する、手段と、
前記第１識別子に基づいて、前記宛先が前記スポンサー付きアプリケーションにスポンサー付きデータ接続を提供するためのスポンサー付き宛先であり、前記第２識別子に基づいて、前記ワイヤレスデバイスが前記スポンサー付きデータ接続の受信を許可されていると前記中間構成要素が判断したことに応じて、前記要求に応答して前記宛先にアクセスするためのデータ接続を確立するための手段であって、前記スポンサー付きアプリケーションとともに使用する前記スポンサー付き宛先へのスポンサー付きデータ接続を前記データ接続が含む、手段と、
前記スポンサー付きアプリケーションが前記スポンサー付きデータ接続を使用して前記スポンサー付き宛先にアクセスできるようにするための手段と
を含む、装置。
【請求項５３】
データ接続を求めるスポンサー付きアプリケーションからの要求を中間構成要素に送るように構成されている要求元構成要素であって、前記スポンサー付きアプリケーションの使用に関連する宛先を前記要求が識別し、前記要求は、前記宛先の第１識別子とワイヤレスデバイスの第２識別子とを具備する、要求元構成要素と、
前記要求に応答して前記宛先にアクセスするためのデータ接続を確立するように構成されているアクセス構成要素であって、前記第１識別子に基づいて、前記宛先が前記スポンサー付きアプリケーションにスポンサー付きデータ接続を提供するためのスポンサー付き宛先であると前記中間構成要素によって判断されるとともに、前記第２識別子に基づいて、前記ワイヤレスデバイスが前記スポンサー付きデータ接続の受信を許可されていると前記中間構成要素によって判断されたときに、前記スポンサー付きアプリケーションとともに使用する前記宛先へのスポンサー付きデータ接続を前記データ接続が含み、前記スポンサー付きアプリケーションが前記スポンサー付きデータ接続を使用して前記スポンサー付き宛先にアクセスできるようにする、アクセス構成要素と、
を含む、データ接続を要求するための装置。
【請求項５４】
前記スポンサー付きデータ接続は、第三者が代金を支払ったデータ接続、無料のデータ接続、または低減された料金のデータ接続のうちの少なくとも1つを含む、請求項53に記載の装置。
【請求項５５】
前記スポンサー付きデータ接続に対応する前記スポンサー付きアプリケーションに関するアプリケーションステータス情報を提示するステップをさらに含む、請求項53に記載の装置。
【請求項５６】
前記アプリケーションステータス情報は、利用可能なスポンサー付きデータ接続、前記スポンサー付きデータ接続のための残存するデータ使用量、または前記スポンサー付きデータ接続のための利用可能な割当て量のうちの1つを含む、請求項55に記載の装置。
【請求項５７】
前記要求元構成要素は、1つまたは複数の利用可能なアプリケーションのリスト、および前記1つまたは複数の利用可能なアプリケーションの前記リストからのスポンサー付きアプリケーションの選択を受信し、前記要求とともに前記選択されたアプリケーションの識別情報を転送するように構成され、前記装置は、
前記1つまたは複数の利用可能なアプリケーションの前記リストを提示するように構成された提示構成要素
をさらに含む、請求項53に記載の装置。
【請求項５８】
前記1つまたは複数の利用可能なアプリケーションはスポンサー付きアプリケーションを含む、請求項57に記載の装置。
【請求項５９】
前記提示構成要素は、前記スポンサー付きアプリケーションに関する割当て満了通知を受信し提示するようにさらに構成され、前記割当て満了通知は、ユーザまたはデータの最大数が使用されたときに受信される、請求項57に記載の装置。
【請求項６０】
前記ワイヤレスデバイスの前記第２識別子が承認されたワイヤレスデバイス識別情報に対応することを検出すると前記データ接続が確立される、請求項53に記載の装置。
【発明の詳細な説明】
【技術分野】
【０００１】
米国特許法第119条に基づく優先権の主張
本特許出願は、本出願の譲受人に譲渡され、参照によって本明細書に明確に組み込まれる、2010年12月20日に出願された「Methods and Apparatus for Providing Data Connectivity」と題する米国仮出願第61/425,230号の優先権を主張する。
【背景技術】
【０００２】
今日の世界では、ワイヤレス通信システムが広範囲に展開されて、たとえば音声、ビデオ、音楽、テキストおよびデータを含む様々なタイプのコンテンツが提供されている。セルラー電話またはワイヤレス接続機能を有するハンドヘルドデバイスのようなワイヤレスデバイスが展開され、ユーザが互いに通信し対話するために、ワイヤレス通信システムが活用されている。
【０００３】
一般に、ユーザがワイヤレスデバイスをワイヤレス通信システムに接続するとき、ワイヤレスデバイスはワイヤレス通信システムにアクセスするための所定の証明および加入データ、たとえば接続に関する契約または加入プランを使用する。加入プランは一般に、ワイヤレスアクセスを特定の通信システムに限定する。ワイヤレスデバイスでワイヤレスネットワークにアクセスしたいと思うロケーションに特定の通信システムがない場合、ワイヤレスデバイスのユーザは、通信システムにアクセスできるようになるために追加料金を支払わなければならないことがある。さらに、ワイヤレスデバイスのユーザがデータ接続プランを持っていない場合に、ユーザは通信システムにアクセスできないことがある。
【０００４】
しかしながら、ユーザが通信システムにアクセスするためのデータ接続プランを持っていない場合でも、サービスプロバイダは、サービスプロバイダによって提供されるサービスおよび/またはアプリケーションにアクセスするための通信システムへのアクセスをユーザに提供したいと思うことがある。したがって、ワイヤレスデバイスのユーザに通信システムにアクセスするためのスポンサー付きデータ接続を提供する方法およびシステムが必要である。
【発明の概要】
【課題を解決するための手段】
【０００５】
以下で、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００６】
一態様は、アクセスネットワークとのデータ接続を提供するための方法に関係する。本方法は、ワイヤレスデバイスから、ワイヤレスデバイス上でのアプリケーションの使用に関連する宛先へのデータ接続を求める要求を受信するステップを含むことができる。本方法はまた、宛先がスポンサー付き宛先であるか否かを判断するステップを含むことができる。加えて、本方法は、宛先がスポンサー付き宛先であるときに、ワイヤレスデバイス上でアプリケーションを使用するために、アクセスネットワークを介したワイヤレスデバイスからスポンサー付き宛先へのスポンサー付きデータ接続を有効にするステップを含むことができる。
【０００７】
別の態様は、アクセスネットワークとのデータ接続を提供するように構成された少なくとも1つのプロセッサに関係する。本プロセッサは、ワイヤレスデバイスから、ワイヤレスデバイス上でのアプリケーションの使用に関連する宛先へのデータ接続を求める要求を受信するための第1のモジュールを含むことができる。本プロセッサは、宛先がスポンサー付き宛先であるか否かを判断するための第2のモジュールをさらに含むことができる。本プロセッサは、宛先がスポンサー付き宛先であるときに、ワイヤレスデバイス上でアプリケーションを使用するために、アクセスネットワークを介したワイヤレスデバイスからスポンサー付き宛先へのスポンサー付きデータ接続を有効にするための第3のモジュールを追加的に含むことができる。
【０００８】
さらに別の態様は、コンピュータプログラム製品に関係する。本コンピュータプログラム製品は、ワイヤレスデバイスから、ワイヤレスデバイス上でのアプリケーションの使用に関連する宛先へのデータ接続を求める要求を受信することをコンピュータに行わせるための少なくとも1つの命令を含むコンピュータ可読媒体を含み得る。コンピュータ可読媒体はまた、宛先がスポンサー付き宛先であるか否かを判断することをコンピュータに行わせるための少なくとも1つの命令を含み得る。コンピュータ可読媒体は、宛先がスポンサー付き宛先であるときに、ワイヤレスデバイス上でアプリケーションを使用するために、アクセスネットワークを介したワイヤレスデバイスからスポンサー付き宛先へのスポンサー付きデータ接続を有効にすることをコンピュータに行わせるための少なくとも1つの命令をさらに含み得る。
【０００９】
別の態様は、装置に関係する。本装置は、ワイヤレスデバイスから、ワイヤレスデバイス上でのアプリケーションの使用に関連する宛先へのデータ接続を求める要求を受信するための手段を含むことができる。加えて、本装置は、宛先がスポンサー付き宛先であるか否かを判断するための手段を含むことができる。さらに、本装置は、宛先がスポンサー付き宛先であるときに、ワイヤレスデバイス上でアプリケーションを使用するために、アクセスネットワークを介したワイヤレスデバイスからスポンサー付き宛先へのスポンサー付きデータ接続を有効にするための手段を含むことができる。
【００１０】
さらに別の態様は、アクセスネットワークとのデータ接続を提供するための装置に関係する。本装置は、ワイヤレスデバイスから、ワイヤレスデバイス上でのアプリケーションの使用に関連する宛先へのデータ接続を求める要求を受信することが可能なデータ接続構成要素を含むことができる。本装置はまた、宛先がスポンサー付き宛先であるか否かを判断することが可能なアクセス構成要素を含むことができ、この場合にアクセス構成要素は、宛先がスポンサー付き宛先であるときに、ワイヤレスデバイス上でアプリケーションを使用するために、アクセスネットワークを介したワイヤレスデバイスからスポンサー付き宛先へのスポンサー付きデータ接続を有効にすることがさらに可能である。
【００１１】
別の態様は、データ接続を要求するための方法に関係する。本方法は、データ接続を求める要求をデータ接続管理構成要素に送るステップであって、アプリケーションの使用に関連する宛先を要求が識別する、ステップを含むことができる。本方法はまた、要求に応答して宛先にアクセスするためのデータ接続を確立するステップであって、宛先がスポンサー付き宛先であると判断されたときに、アプリケーションとともに使用する宛先へのスポンサー付きデータ接続をデータ接続が含む、ステップを含むことができる。加えて、本方法は、データ接続を使用して宛先にアクセスするステップを含むことができる。
【００１２】
さらに別の態様は、データ接続を要求するように構成された少なくとも1つのプロセッサに関係する。本プロセッサは、データ接続を求める要求をデータ接続管理構成要素に送るための第1のモジュールであって、アプリケーションの使用に関連する宛先を要求が識別する、第1のモジュールを含むことができる。本プロセッサは、要求に応答して宛先にアクセスするためのデータ接続を確立するための第2のモジュールであって、宛先がスポンサー付き宛先であると判断されたときに、アプリケーションとともに使用する宛先へのスポンサー付きデータ接続をデータ接続が含む、第2のモジュールをさらに含むことができる。さらに、本プロセッサは、データ接続を使用して宛先にアクセスするための第3のモジュールを含むことができる。
【００１３】
別の態様は、コンピュータプログラム製品に関係する。本コンピュータプログラム製品は、データ接続を求める要求をデータ接続管理構成要素に送ることをコンピュータに行わせるための少なくとも1つの命令であって、アプリケーションの使用に関連する宛先を要求が識別する、少なくとも1つの命令を含むコンピュータ可読媒体を含むことができる。コンピュータ可読媒体はまた、要求に応答して宛先にアクセスするためのデータ接続を確立することをコンピュータに行わせるための少なくとも1つの命令であって、宛先がスポンサー付き宛先であると判断されたときに、アプリケーションとともに使用する宛先へのスポンサー付きデータ接続をデータ接続が含む、少なくとも1つの命令を含むことができる。コンピュータ可読媒体は、データ接続を使用して宛先にアクセスすることをコンピュータに行わせるための少なくとも1つの命令をさらに含むことができる。
【００１４】
さらに別の態様は、装置に関係する。本装置は、データ接続を求める要求をデータ接続管理構成要素に送るための手段であって、アプリケーションの使用に関連する宛先を要求が識別する、手段を含むことができる。本装置は、要求に応答して宛先にアクセスするためのデータ接続を確立するための手段であって、宛先がスポンサー付き宛先であると判断されたときに、アプリケーションとともに使用する宛先へのスポンサー付きデータ接続をデータ接続が含む、手段をさらに含むことができる。加えて、本装置は、データ接続を使用して宛先にアクセスするための手段を含むことができる。
【００１５】
別の態様は、データ接続を要求するための装置に関係する。本装置は、データ接続を求める要求をデータ接続管理構成要素に送ることが可能な要求元構成要素であって、アプリケーションの使用に関連する宛先を要求が識別する、要求元構成要素を含むことができる。本装置は、要求に応答して宛先にアクセスするためのデータ接続を確立することが可能なアクセス構成要素であって、宛先がスポンサー付き宛先であると判断されたときに、アプリケーションとともに使用する宛先へのスポンサー付きデータ接続をデータ接続が含む、アクセス構成要素をさらに含むことができる。本装置はまた、データ接続を使用して宛先にアクセスすることがさらに可能なアクセス構成要素を含むことができる。
【００１６】
上記のおよび関連の目的の達成のために、1つまたは複数の態様は、以下で十分に説明し、特許請求の範囲で具体的に指摘する特徴を含む。以下の説明および添付の図面は、1つまたは複数の態様のいくつかの例示的な特徴を詳細に説明する。しかしながら、これらの特徴は、様々な態様の原理が使用され得る様々な方法のうちのほんのいくつかしか示しておらず、この説明は、そのようなすべての態様およびそれらの均等物を含むものとする。
【００１７】
開示される態様を限定するためではなく、開示される態様を例示するために与えられる、添付の図面とともに、開示される態様が以下で説明され、同様の表示は同様の要素を示す。
【図面の簡単な説明】
【００１８】
【図１】一態様による例示的な接続システムを示す図である。
【図２】別の態様による例示的な接続システムを示す図である。
【図３】別の態様による接続システム内で動作可能な例示的な監視構成要素を示す図である。
【図４】さらに別の態様による接続システム内で動作可能な例示的なアクセス構成要素を示す図である。
【図５】一態様によるデータ接続を提供するための方法を示す例示的なフローチャートである。
【図６】さらに別の態様によるデータ接続を監視するステップを示す例示的なフローチャートである。
【図７】別の態様によるデータ接続を要求するステップを示す例示的なフローチャートである。
【図８】さらに別の態様による例示的なスクリーンショットを示す図である。
【図９】別の態様による利用可能なスポンサー付きアプリケーションのリストを有する例示的なスクリーンショットを示す図である。
【図１０】さらに別の態様による利用可能なスポンサー付きアプリケーションのステータスを有する例示的なスクリーンショットを示す図である。
【図１１】一態様による接続システム内で動作可能な例示的なワイヤレスデバイスの図である。
【図１２】さらに別の態様による接続システム内で動作可能な例示的なサーバデバイスの図である。
【図１３】別の態様によるデータ接続の提供を容易にする例示的なシステムを示す図である。
【図１４】別の態様によるデータ接続の要求を容易にする例示的なシステムを示す図である。
【発明を実施するための形態】
【００１９】
次に、図面を参照しながら様々な態様について説明する。以下の記述では、説明の目的で、1つまたは複数の態様の完全な理解を与えるために多数の具体的な詳細を記載する。ただし、そのような態様をこれらの具体的な詳細なしに実施できることは明白であり得る。
【００２０】
説明する態様は、ワイヤレスデバイス上の1つまたは複数のアプリケーションとともに使用するアクセスネットワークとのスポンサー付きデータ接続を提供または受信するための方法およびシステムに関係する。説明する方法およびシステムは、ワイヤレスデバイスと宛先との間のデータ接続を求める要求を送信または受信する。宛先は、ワイヤレスデバイス上でのアプリケーションの使用に関連付けられ得る宛先アドレスを含むことができる。
【００２１】
説明する方法およびシステムは、宛先が、アプリケーションとともに使用するアクセスネットワークへのスポンサー付きデータ接続を提供するスポンサー付き宛先であるか否かをさらに判断することができる。「スポンサー付きデータアクティビティ」という用語は、限定はしないが、無料であるか、第三者、たとえば、要求を送信したデバイスのユーザ以外の者によって部分的に代金が支払われる接続を含み得る。一態様では、たとえば、第三者は、宛先に関連するエンティティ、たとえば、スポンサー付きデータアクティビティを提供することによってウェブサイトの使用を促したいと思っているウェブサイトの所有者であり得る。したがって、ワイヤレスデバイスのユーザがアクセスネットワークへのデータ接続の全部の支払いを行う代わりに、宛先に関連する第三者がデータ接続の全部または一部の支払いを行うことがある。このようにして、説明する方法およびシステムは、ワイヤレスデバイスのユーザが、1つまたは複数のアプリケーションとともに使用するデータ接続を要求し、要求されたアプリケーションとともに使用するスポンサー付きデータ接続を1つまたは複数の第三者から受信することを可能にする。
【００２２】
次に図1を参照すると、1つまたは複数のアクセスネットワーク104を介して1つまたは複数のサーバおよび/またはコンピューティングデバイス106と通信する1つまたは複数のワイヤレスデバイス102を含み得る例示的な接続システム100が示される。ワイヤレスデバイス102は、アクセスネットワーク104に接続し得る、セルラーデバイスなどの任意のモバイルコンピューティングデバイスもしくはモバイル通信デバイスまたはポータブルコンピューティングデバイスもしくはポータブル通信デバイスを含んでもよい。ワイヤレスデバイス102は、たとえば、ワイヤレス接続機能を有するセルラー電話、ネットブック、ノートブック、タブレット、スマートブック、ナビゲーションシステム、コンピューティングデバイス、カメラ、PDA、音楽デバイス、ゲームデバイス、もしくはハンドヘルドデバイス、および/または他のワイヤレスデバイスであってもよい。サーバ/コンピューティングデバイス106は、ネットワークに接続された任意のモバイルコンピューティングデバイスまたは固定コンピューティングデバイスを含み得る。サーバ/コンピューティングデバイス106は、限定はしないが、ワイヤレス接続機能を有するコンピューティングデバイス、サーバ、セルラー電話、カメラ、PDA、音楽デバイス、ゲームデバイス、ナビゲーションシステム、ハンドヘルドデバイス、および/または他のデバイスを含み得る。さらに、アクセスネットワーク104は、任意のタイプのワイヤレスエアリンクなど、1つまたは複数のタイプの通信接続を、ワイヤレスデバイス102およびサーバ106に設けることができる。ワイヤレスデバイス102は、通信、たとえば、電話呼、テレビ会議呼、SKYPE(商標)セッションなどのインターネットプロトコルセッション、ボイスオーバーインターネットプロトコル(IP)呼、ショートメッセージサービス(SMS)メッセージ、マルチメディアメッセージングサービス(MMS)メッセージ、インスタントメッセージング(IM)サービスメッセージ、チャットもしくはネットミーティング関連接続、ビデオ、音楽、データの転送、および/または他の通信の発信ならびに/あるいは受信を、アクセスネットワーク104を介して1つまたは複数のサーバ106との間で行ってもよい。さらに、ワイヤレスデバイス102は、アクセス
ネットワーク104を介して1つもしくは複数のサーバ106から、またはアクセスネットワーク104と通信している任意の他のデバイスから、通信を受信し得る。
【００２３】
ワイヤレスデバイス102は、ワイヤレスデバイス102によって1つまたは複数のアプリケーション12とともに使用するデータ接続を宛先30、34に要求するように動作可能なアプリケーション要求構成要素10を含むことができる。アプリケーション12は、限定はしないが、ソーシャルネットワーキングアプリケーション、メッセージングアプリケーション、ネットワークブラウジングアプリケーション、通信アプリケーション、スポーツアプリケーション、エンターテインメントアプリケーション、ショッピングアプリケーション、電子ブックアプリケーション、ニュースアプリケーション、音楽アプリケーション、ゲームアプリケーション、および/または他のアプリケーションを含み得る。ユーザによって選択された1つまたは複数のアプリケーション12は、ワイヤレスデバイス102に、たとえば、ワイヤレスデバイス102のメモリおよび/または他の適切なストレージデバイスに記憶され得る。追加的かつ/または代替的に、1つまたは複数のアプリケーション12は、ワイヤレスデバイス102に記憶されないことがあるが、宛先30、34においてアクセスされ得る。たとえば、ワイヤレスデバイス102のユーザは、ショッピングアプリケーションのウェブサイトアドレスなど、アプリケーションの宛先を入力し、入力した宛先においてアプリケーションへのアクセスを受信することがある。アプリケーション要求構成要素10は、アクセスネットワーク104を介して、宛先識別子(ID)16に関連する宛先30、34にデータ接続を求める要求を送るように動作可能な要求元構成要素14を含み得る。宛先ID16は、たとえば、ロケーションのインターネットプロトコル(IP)アドレス、ロケーションの名前、および/または他の宛先識別子であってよい。
【００２４】
一態様では、宛先ID16は、サーバ106の宛先30に関連付けられ得る。たとえば、アプリケーション要求構成要素10は、サーバ106によって提供されるデータ接続を求める要求を、アクセスネットワーク104を介してサーバ106に送ることがある。サーバ106は、要求されたアプリケーション12とともに使用するアクセスネットワーク104へのデータ接続を提供するように動作可能なアクセス構成要素22を有し得る。アクセス構成要素22は、アクセスネットワーク104にアクセスする場合に利用可能なデータ接続を定義する接続パラメータ24を有し得る。データ接続は、限定はしないが、アプリケーション12とともに使用するアクセスネットワーク104へのスポンサー付きデータ接続、アクセスネットワーク104にアクセスするためのユーザのサービスプロバイダプラン、WiFi接続、またはイーサネット(登録商標)接続、交換可能なデータの量(たとえば、バイト数)、データ接続を使用することが可能なユーザの数、1ユーザあたりのデータ交換の量(たとえば、1ユーザあたり10メガバイト)、データ接続を使用する回数、データ接続が利用可能である時間(たとえば、時刻)、および/または他の形態のデータ接続を含み得る。
【００２５】
加えて、アクセス構成要素22は、図4に示すように支払い構成要素40を随意に含むことができ、支払い構成要素40は、提供されるデータ接続の支払いを受領および/または生成するように動作可能であり得る。たとえば、ユーザではなく第三者が支払い構成要素40に対し、スポンサー付きデータ接続によりアクセスネットワーク104にアクセスするための支払いを行うことがある。第三者とアクセスネットワークとの間の支払いは、限定はしないが、バルクレート契約、1メガバイトあたりの料金、または第三者とアクセスネットワークとの間の任意の他の支払い契約に基づき得る。ただし、ユーザは、第三者がスポンサーとなっていないデータ接続の部分の支払いを行うことがあり、かつ/またはスポンサー付きデータ接続が満了したとき、および/もしくは無効になったときにデータ接続の支払いを行うことがあることを諒解されたい。
【００２６】
加えて、図1に示すように、サーバ106は、要求に応答してワイヤレスデバイス102に、アプリケーション12とともに使用するデータ接続を提供するか否かを決定することができる。一態様では、サーバ106は、サーバ106がスポンサー付きデータ接続を提供することになるデバイスを識別するデバイス識別子33のリストを有するデバイス識別子データ記憶装置32などのデータリポジトリと対話することができる。たとえば、サーバ106は、ワイヤレスデバイス102のデバイス識別子(ID)28を、デバイス識別子データ記憶装置32内のデバイス識別子33のリストと比較して、ワイヤレスデバイス102が、サーバ106がスポンサー付きデータ接続を提供することになるデバイスのうちの1つであるか否かを判断することができる。別の態様では、サーバ106はデバイスID28を使用してワイヤレスデバイス102を確認することで、データ接続を求める要求が有効なソースから来ていることを確かめることがある。別の態様では、サーバ106は、アプリケーション12とともに使用するデータ接続を要求するすべてのワイヤレスデバイスに、データ接続を提供することができる。たとえば、ショッピングアプリケーションとともに使用するデータ接続をサーバ106が提供する場合、サーバ106は、より多くのユーザにショッピングアプリケーションを使用して品物を購入するよう促すために、任意のデバイス上のそれぞれのショッピングアプリケーションからのすべての要求に対しデータ接続を提供したいと思うことがある。さらに別の態様では、サーバ106は、アプリケーション12とともに使用する要求されたデータ接続をサーバ106が提供する前に、サーバ106にワイヤレスデバイス102のユーザを登録すること、たとえば、ユーザ名およびパスワードを作成することができる。さらに別の態様では、サーバ106は、サーバ106がスポンサー付きデータ接続を提供することになるエンティティを識別する識別子33のリストを有するデバイス識別子データ記憶装置32と対話することができる。エンティティは、たとえば、スポンサー付きデータ接続サービスを受ける資格のあるアプリケーション加入者であってよい。したがって、サーバ106は、アプリケーション12とともに使用するアプリケーション要求構成要素10からの要求されたデータ接続にス
ポンサーシップを提供するか否かの裁量を有し得ることを諒解されたい。
【００２７】
宛先ID16はまた、サーバ106に関連する宛先30からのデータ接続を求める要求を受信するように動作可能なデータ接続管理構成要素108に関連付けられ得る。加えて、データ管理構成要素108は、要求された宛先30が、アクセスネットワーク104へのスポンサー付きデータ接続を提供するスポンサー付き宛先であるか否かを判断するようにさらに動作可能であり得る。一態様では、データ管理構成要素108は、サーバ106の一部であってよい。ただし、データ管理構成要素108は、アクセスネットワーク104、ワイヤレスデバイス102、ならびに/またはワイヤレスデバイス102、アクセスネットワーク104、および/もしくはサーバ106と通信している別個のエンティティの一部であってもよいことを諒解されたい。したがって、要求された宛先30がスポンサー付き宛先であるか否かの判断は、アクセスネットワーク104において、および/またはアクセスネットワーク104と通信している別個のエンティティにおいて生じ得る。たとえば、アクセスネットワーク104および/またはデータ接続管理構成要素108は、要求された宛先30がスポンサー付き宛先であるか否かを判断するために、要求された宛先30を(遠隔に位置するデータ接続管理構成要素108および/またはサーバ106であり得る)別個のエンティティに転送することがあり、要求された宛先30がスポンサー付き宛先であるか否かを判断するために、宛先がスポンサー付き宛先であるか否かを示す応答を別個のエンティティから受信することがある。
【００２８】
データ管理構成要素108は、要求されたアプリケーション12とともに使用するアクセスネットワーク104へのスポンサー付きデータ接続を宛先30が提供するか否かを検知するように動作可能な検知構成要素18を含み得る。宛先30がスポンサー付き宛先であるとき、データ管理構成要素108および/またはアクセスネットワーク104は、データ接続を求める要求をサーバ106に転送することができる。たとえば、検知構成要素18は、ワイヤレスデバイス102のデバイス識別子(ID)28をデバイス識別子のリストと比較して、ワイヤレスデバイス102が、サーバ106がスポンサー付きデータ接続を提供することになるデバイスのうちの1つであるか否かを判断することができる。別の態様では、サーバ106はデバイスID28を使用してワイヤレスデバイス102を確認することで、データ接続を求める要求が有効なソースから来ていることを確かめることがある。さらに別の態様では、サーバ106は追加サーバを使用して、スポンサー付きデータ接続に関する要求元の資格を確認することができる。
【００２９】
別の態様では、宛先30がスポンサー付き宛先であるときに、アクセスネットワーク104へのスポンサー付きデータ接続を有効にし得るアクセス構成要素22をデータ管理構成要素108は有し得る。一態様では、アクセスネットワークが、アクセス構成要素22へのスポンサー付きデータ接続を提供することができる。別の態様では、アクセスネットワーク104および/またはサーバ106と通信している別個のエンティティが、アクセス構成要素22へのスポンサー付きデータ接続を提供することができる。アクセス構成要素22は、アプリケーション12とともに使用するワイヤレスデバイス102へのスポンサー付きデータ接続を有効にするとき、スポンサー付きデータ接続に関連する接続パラメータ24を使用することができる。接続パラメータ24は、宛先30を介してアクセスネットワーク104に提供されるスポンサー付きデータ接続に関する接続しきい値を定義することができる。たとえば、接続しきい値は、限定はしないが、スポンサー付きデータ接続を使用して交換可能なデータの量(たとえば、バイト数)、スポンサー付きデータ接続を使用することが可能なユーザの数、1ユーザあたりのデータ交換の量(たとえば、1ユーザあたり10メガバイト)、スポンサー付きデータ接続を使用する回数、スポンサー付きデータ接続が利用可能である時間(たとえば、時刻)、および/または他の接続パラメータを含み得る。
【００３０】
データ接続管理構成要素108はまた、スポンサー付きデータ接続を使用するデータトラフィックを監視および/または追跡するように動作可能な監視構成要素20を含むことができる。監視構成要素20は、スポンサー付きデータ接続によるデータフローを計測するようにさらに動作可能であり得る。たとえば、監視構成要素20は、データトラフィックを監視し、データトラフィックがいつデータ接続しきい値45、たとえば宛先30によってアクセスネットワークに提供されるスポンサー付きデータ接続の量の上限を超えるかを判断するしきい値判断器構成要素44(図3)を有し得る。監視構成要素20は、スポンサー付きデータ接続を使用するデータトラフィックを制限するために、フィルタリング構成要素26と通信することができる。フィルタリング構成要素26は、データトラフィックがスポンサー付きデータ接続を使用するのを許容および/または回避するように動作可能であり得る。このようにして、データトラフィックがデータ接続しきい値45を超えるとき、フィルタリング構成要素26は、スポンサー付きデータ接続を使用するデータトラフィックを制限することができる。
【００３１】
一態様では、監視構成要素20はまた、ワイヤレスデバイス102のユーザに1つまたは複数の通知を送るように動作可能な通知構成要素42(図3)を含むことができる。通知は、たとえば、スポンサー付きデータ接続がアプリケーションに利用可能であるか否か、スポンサー付きデータ接続のための残存するデータの量、および/またはスポンサー付きデータ接続のための利用可能な割当て量をユーザに通知する、アプリケーションステータス情報を含み得る。加えて、通知は、スポンサー付きデータ接続が満了すること、および/または満了したことをユーザに通知することができる。データ接続が満了するとき、通知がユーザに対し、アプリケーションのためにアクセスネットワークにアクセスするためのデータ接続を購入するように促すこともある。上記は通知構成要素42によって転送され得る通知のタイプの代表的な例であることに留意されたい。
【００３２】
ワイヤレスデバイス102が1つまたは複数のデータ接続管理構成要素108と通信して、1つまたは複数の宛先から1つまたは複数のスポンサー付きデータ接続を受信することができることを諒解されたい。たとえば、一態様では、ワイヤレスデバイス102は、受信した1つまたは複数のスポンサー付きデータ接続を使用して1つまたは複数の宛先にアクセスするための宛先アクセス構成要素36を含み得る。一態様では、宛先アクセス構成要素36は、データ接続管理構成要素108および/またはアクセスネットワーク104と通信することが可能な、通信構成要素、または通信インターフェースを含み得る。たとえば、スポンサー付きであるアプリケーション12が宛先アクセス構成要素36と対話して、アクセスネットワーク104を介した宛先30へのデータ接続を確立することができる。このようにして、ワイヤレスデバイス102は、1つまたは複数のスポンサー付き宛先を介して1つまたは複数のアプリケーションにアクセス可能になり得る。
【００３３】
加えて、ワイヤレスデバイス102は、アプリケーションステータス情報39を受信し提示するように動作可能な提示構成要素38を有し得る。たとえば、提示構成要素38は、ワイヤレスデバイス上で使用するための1つまたは複数の利用可能なアプリケーションおよび/またはサービスに関するアプリケーションステータス情報39をサーバ106から受信し、受信したアプリケーションステータス情報39をワイヤレスデバイスのユーザに提示することができる。アプリケーションステータス情報39は、限定はしないが、スポンサー付きデータ接続がアプリケーションに利用可能であるか否か、スポンサー付きデータ接続のための残存するデータの量、および/またはスポンサー付きデータ接続のための利用可能な割当て量を含み得る。提示構成要素38が、1つまたは複数のアプリケーションおよび/またはサービスに関連する様々な情報および/または通知を受信し提示することができることを諒解されたい。
【００３４】
1つの使用事例では、図2に示すようにインターネットサービスプロバイダ(ISP)およびアプリケーションサービスプロバイダ(ASP)により接続システム100が実装され得る。たとえば、一態様では、データ接続管理構成要素108は、インターネットサービスプロバイダISP1のようなインターネットサービスプロバイダであってよく、ASP Aのサーバ106に関連するアプリケーション12のための、スポンサー付きリンクエンドポイントのような宛先30へのスポンサー付き接続またはリンク110を確立することができる。よって、ワイヤレスデバイス102は、データプランを有さなくてよいが、ワイヤレスデバイス102はそれでも、ASP Aのサーバ106に基づく宛先30または接続リンク110のスポンサーである別の第三者からサービスを取得することができる。
【００３５】
一態様では、ワイヤレスデバイス102は、ASP Aのサーバ106に関連するアプリケーション12を実行することができる。ワイヤレスデバイス102は、ASP Aのサーバ106とのデータ接続を求める要求をISP108に送ることができる。要求は、ワイヤレスデバイス識別子(ID)28(たとえば、[x.y.z.221])および宛先30のアドレス(たとえば、[a.b.c.d])を含み得る。ISP108は、宛先30がスポンサー付きエンドポイントであると判断して、ASP Aのサーバ106に要求を転送することがある。たとえば、ISP108は、宛先30のアドレスをスポンサー付きエンドポイントアドレスのリストと比較することができる。一致が生じたとき、ISP108は、宛先30がスポンサー付きエンドポイントであると判断して、ASP Aのサーバ106に要求を転送することができる。
【００３６】
制限付きアクセスシナリオのような一態様では、ASP Aのサーバ106は、受信したワイヤレスデバイスID28を、デバイス識別子データ記憶装置32内のデバイス識別子33のリストと比較することができる。ワイヤレスデバイスID28がデバイス識別子33のリスト上の識別子と一致した場合、ASP Aのサーバ106は、スポンサー付きリンク110を確立するためにISP108にアクセス情報を提供することができる。ワイヤレスデバイスは、スポンサー付きリンク110を使用して宛先30とのデータ接続を確立し、宛先30にアクセスしてアプリケーション12を使用することができる。他の態様では、ASP Aのサーバ106は、任意のデバイスにアクセス情報を提供することができる。
【００３７】
ISP108は、スポンサー付きリンク110ごとに通過トラフィック(traversing traffic)を検出、許可および計測することができるフィルタリング構成要素26を有し得る。したがって、ISP108は、どのワイヤレスデバイスに、スポンサー付きリンク110を使用する接続の維持を許可するか、またどれだけのデータをスポンサー付きリンク110を介して送ることができるかを制御する中間構成要素であってよい。
【００３８】
一態様では、宛先30は、ISP108のようなノードを含み得る、本明細書で説明するシステムに参加するネットワークノードのような1つまたは複数の特定のアクセスノードにとってアクセス可能であるにすぎないことがある。たとえば、1つまたは複数の他の不参加ISP 109は、(参照111によって示されるように)接続を確立できないことがある。したがって、データ接続管理構成要素108は、1つまたは複数のアプリケーションがすべてのスポンサー付きトラフィックを交換する際のプロキシサーバとして機能することができる。ただし、すべてのスポンサー付きトラフィックを1つのネットワークノードまたは特定のアクセスノードセットを介して送る必要はないことが諒解されよう。
【００３９】
次に図5を参照すると、一態様によるデータ接続を提供するための方法500は、502において、アプリケーションの使用に関連する宛先へのデータ接続を求める要求を受信するステップを含むことができる。宛先は、要求されたアプリケーションのためのサービスおよび/またはデータ接続を提供するサーバおよび/またはサービスプロバイダに関連付けられ得る。
【００４０】
次に、504において本方法は、宛先がスポンサー付き宛先であるか否かを判断するステップを含むことができる。スポンサー付き宛先は、1つまたは複数のアプリケーションに関連付けられ得る。スポンサー付き宛先は、スポンサー付きアプリケーションのための宛先(たとえば、宛先に関連するアプリケーションサービスプロバイダなどの第三者)によって代金が支払われるか、または部分的に代金が支払われるデータ接続サービスなどの、スポンサー付きデータ接続を提供することができる。スポンサー付きアプリケーションは、限定はしないが、オンラインアクセス構成要素などのアクセスネットワークとの接続を要求する任意のアプリケーションを含み得る。スポンサー付きアプリケーションの例には、限定はしないが、ソーシャルネットワーキングアプリケーション、メッセージングアプリケーション、ネットワークブラウジングアプリケーション、通信アプリケーション、スポーツアプリケーション、エンターテインメントアプリケーション、ショッピングアプリケーション、電子ブックアプリケーション、ニュースアプリケーション、音楽アプリケーション、ゲームアプリケーション、および/または他のスポンサー付きアプリケーションがあり得る。
【００４１】
一態様では、アクセスネットワークまたはその構成要素、たとえばデータ接続管理構成要素は、宛先がスポンサー付き宛先であるか否かを判断することができる。たとえば、アプリケーションは、アプリケーションがスポンサー付きアプリケーションであることを識別するための、アプリケーションに関連する識別子を有し得る。識別子は、宛先、たとえばアプリケーションとともに使用するデータ接続を実行するためのサーバに関連付けられ得る。別の態様では、アクセスネットワークは、アクセスネットワークと通信する別個のエンティティ(たとえば、遠隔に位置するデータ接続管理構成要素および/または要求されたサービスに関連するサーバ)に、宛先がスポンサー付き宛先であるか否かを当該エンティティが判断するように求める要求を転送することができる。アクセスネットワークは、宛先がスポンサー付き宛先であるか否かを示す応答をエンティティから受信することができ、アクセスネットワーク(および/またはデータ接続管理構成要素)はそれによって、宛先がスポンサー付きであるか否かを判断することができる。たとえば、識別子は、アプリケーションとともに使用するサービスおよび/またはデータ接続を提供するためのアプリケーションサービスプロバイダなどのサービスプロバイダに専用のプロキシサーバに関連付けられ得る。プロキシサーバは、サービスプロバイダに関連するスポンサー付きアプリケーションから通信を受信し、スポンサー付きアプリケーションにアクセスネットワークへのアクセスを提供することができる。このようにして、プロキシサーバは、アプリケーションがスポンサー付きアプリケーションであるか否かを判断することができ、スポンサー付きアプリケーションとともに使用するアクセスネットワークへのスポンサー付きデータ接続を提供するか否かを決定することができる。
【００４２】
ワイヤレスデバイス上の2つ以上のアプリケーションがスポンサー付きアプリケーションであり得ることを諒解されたい。したがって、ワイヤレスデバイスは、1つまたは複数の第三者がスポンサーになっている複数のアプリケーションにアクセス可能であり得る。
【００４３】
宛先がスポンサー付き宛先ではない場合、506において本方法は、アプリケーションのためにアクセスネットワークにアクセスするためのデータ接続を購入するようにユーザに促すステップを随意に含むことができる。代替的に、または追加として、本方法は、アプリケーションとともに使用する他の形態のデータ接続、たとえばWiFiもしくはユーザのデータ接続プラン、および/または他の形態のデータ接続を使用することができる。
【００４４】
宛先がスポンサー付き宛先であるとき、508において本方法は、アプリケーションのためにアクセスネットワークとの間の、宛先からのスポンサー付きデータ接続を有効にするステップを含むことができる。一態様では、スポンサー付きデータ接続は、アクセスネットワークによって提供され得る。スポンサー付きデータ接続は、アクセスネットワークとデータ接続のスポンサーである宛先との間の所定の契約に基づき得る。したがって、スポンサー付きアプリケーションがワイヤレスデバイスにダウンロードされ、ワイヤレスデバイスによって起動したとき、スポンサー付きデータ接続はすでに、アクセスネットワークと宛先との間で確立され得る。別の態様では、スポンサー付きデータ接続は、ユーザによるデータ接続を求める要求により、宛先とアクセスネットワークとの間で交渉され得る。別の態様では、スポンサー付きデータ接続は、アクセスネットワークと通信している別個のエンティティを介して提供され得る。
【００４５】
スポンサー付きデータ接続は、利用可能なデータ接続の量および/または接続が利用可能である時間を決定する接続パラメータを有し得る。接続パラメータは、限定はしないが、スポンサー付き接続を使用して交換可能なデータの量(たとえば、バイト数)、スポンサー付きデータ接続を使用することが可能なユーザの数、1ユーザあたりのデータ交換の量(たとえば、1ユーザあたり10メガバイト)、スポンサー付きデータ接続を使用する回数、スポンサー付きデータ接続が利用可能である時間、および/または他の接続パラメータを含み得る。
【００４６】
加えて、アクセスネットワークおよび宛先、たとえばデータ接続のスポンサーである第三者は、スポンサー付きデータ接続の支払いを受領および/または生成するためのシステムを配置し得る。したがって、ユーザではなく第三者がアクセスネットワークに、スポンサー付きデータ接続の支払いを行うことがある。第三者とアクセスネットワークとの間の支払いは、限定はしないが、バルクレート契約、1メガバイトあたりの料金、または第三者とアクセスネットワークとの間の任意の他の支払い契約に基づき得る。ただし、ユーザは、第三者がスポンサーとなっていないデータ接続の部分の支払いを行うことがあり、かつ/またはスポンサー付きデータ接続が満了したとき、および/もしくは無効になったときにデータ接続の支払いを行うことがあることを諒解されたい。
【００４７】
次に図6を参照すると、さらに別の態様による方法600は、602において、スポンサー付きデータ接続を監視するステップを含み得る。一態様では、データ接続マネージャ構成要素は、スポンサー付きアプリケーションに関連するデータトラフィックを受信し、スポンサー付き接続を使用するデータトラフィックの量を監視することができる。
【００４８】
次に、604において本方法は、スポンサー付きデータ接続がスポンサー付きデータ接続しきい値の範囲内にあるか否かを判断するステップを含むことができる。スポンサー付き接続しきい値は、スポンサー付きデータ接続を使用して交換されるデータの量、1ユーザあたりのデータ交換の量(たとえば、1日あたり10メガバイト)、スポンサー付きデータ接続を使用することが可能なユーザの数、スポンサー付きデータ接続を使用する回数、スポンサー付きデータ接続が使用され得る時間(たとえば、30日のトライアル期間)、および/または他のスポンサー付き接続しきい値に基づき得る。
【００４９】
一態様では、データ接続マネージャ構成要素は、602で説明したようにデータ接続を監視し、監視されるデータ接続をスポンサー付き接続しきい値と比較することができる。データ接続マネージャ構成要素は、データ接続が接続しきい値の範囲内にあるか否かを判断することができる。一態様では、ゲージのようなアイコンが表示され、監視されるデータ接続に関連するスポンサー付き接続しきい値が示され得る。ユーザは、ディスプレイ上のアイコンを見ることによって、監視されるデータがスポンサー付きデータ接続の範囲内にあるか否かを判断することが可能であり得る。
【００５０】
スポンサー付きデータ接続がスポンサー付きデータ接続しきい値の範囲内にあるとき、606において、本方法は508(図5)に進み、スポンサー付きアプリケーションのためのアクセスネットワークとのスポンサー付きデータ接続を提供することができる。たとえば、監視されるデータ接続が1ユーザあたりのデータ交換の量、たとえば、1日あたり10メガバイトの範囲内にあるとき、データ接続マネージャは、スポンサー付きデータ接続がスポンサー付きデータ接続しきい値の範囲内にあると判断することができる。
【００５１】
一方、スポンサー付きデータ接続がスポンサー付きデータ接続しきい値の範囲内にないとき、たとえばスポンサー付きデータ接続がスポンサー付きデータ接続しきい値を超えるとき、本方法は608において、スポンサー付きデータ接続を制限するステップを含むことができる。スポンサー付きデータ接続を制限するステップは、限定はしないが、スポンサー付きデータ接続を停止するステップ、スポンサー付きデータ接続から別の形態のデータ接続(たとえば、ユーザもしくは別の第三者によって代金が支払われるインターネット接続、WiFi接続、またはイーサネット(登録商標)接続)に切り替えるステップ、もしくはデータ接続のための追加割当て量を提供するように第三者に促すステップ、データ接続を購入するようにユーザに促すステップ、および/またはスポンサー付きデータ接続を制限する他の形態のステップを含み得る。たとえば、スポンサー付きデータ接続が制限されていることをユーザに知らせる通知が表示され得る。
【００５２】
次に図7を参照すると、一態様によるデータ接続を要求する方法700は、702において、ワイヤレスデバイスで使用する1つまたは複数の利用可能なアプリケーションのリストを受信し提示するステップを随意に含むことができる。ワイヤレスデバイスは、ワイヤレスデバイス上で使用する場合に利用可能なアプリケーションのリストをサーバから受信することができ、ワイヤレスデバイス上の提示構成要素は、利用可能なアプリケーションのリストをワイヤレスデバイスのユーザに表示することができる。1つまたは複数のアプリケーションがワイヤレスデバイスに記憶され得る。追加的かつ/または代替的に、1つまたは複数のアプリケーションは、ワイヤレスデバイスに記憶されないことがあり、宛先においてアクセスされることがある。たとえば、ワイヤレスデバイスのユーザは、ショッピングアプリケーションのウェブサイトアドレスなど、アプリケーションの宛先を入力し、入力した宛先においてアプリケーションへのアクセスを受信することがある。
【００５３】
一態様では、アプリケーションうちの1つまたは複数は、スポンサー付きアプリケーション、たとえば、第三者によって代金が支払われるか、または部分的に代金が支払われるアプリケーションを含み得る。スポンサー付きアプリケーションは、限定はしないが、オンラインアクセス構成要素などの、アクセスネットワークとの接続を要求する任意のアプリケーションを含み得る。スポンサー付きアプリケーションの例には、限定はしないが、ソーシャルネットワーキングアプリケーション、メッセージングアプリケーション、ネットワークブラウジングアプリケーション、通信アプリケーション、スポーツアプリケーション、エンターテインメントアプリケーション、ショッピングアプリケーション、電子ブックアプリケーション、ニュースアプリケーション、音楽アプリケーション、ゲームアプリケーション、および/または他のスポンサー付きアプリケーションがあり得る。
【００５４】
本方法は704において、アプリケーションのリストからのアプリケーションの選択を受信するステップを随意に含むことができる。一態様では、ワイヤレスデバイスのユーザは、ワイヤレスデバイス上で使用する1つまたは複数のアプリケーションを選択することができる。たとえば、ユーザは任意のアプリケーション上でのダブルクリック、シングルクリック、右クリックなどによってアプリケーションを選択すること、および/またはたとえば、アプリケーションをドラッグしたりつまんだりするなど、様々なジェスチャーを使用することによってタッチスクリーン機能を使用することができる。
【００５５】
706において、本方法は、データ接続を求める要求をデータ接続管理構成要素に送るステップを含むことができる。要求は、アプリケーションの使用に関連する宛先を識別することができる。たとえば、ワイヤレスデバイス上の要求元構成要素は、データ接続を求める要求を宛先に関連するサーバに送ることがある。データ接続は、限定はしないが、アプリケーションとともに使用するアクセスネットワークへのスポンサー付きデータ接続、アクセスネットワークにアクセスするためのユーザのサービスプロバイダプラン、WiFi接続、またはイーサネット(登録商標)接続、交換可能なデータの量(たとえば、バイト数)、データ接続を使用することが可能なユーザの数、1ユーザあたりのデータ交換の量(たとえば、1ユーザあたり10メガバイト)、データ接続を使用する回数、データ接続が利用可能である時間(たとえば、時刻)、および/または他の形態のデータ接続を含み得る。
【００５６】
708において、本方法は、要求に応答して宛先にアクセスするためのデータ接続を確立するステップを含み得る。たとえば、ワイヤレスデバイス上の宛先アクセス構成要素は、要求された宛先にアクセスするためのデータ接続を確立することができる。一態様では、宛先がスポンサー付き宛先であると判断されたとき、データ接続は、アプリケーションとともに使用する宛先へのスポンサー付きデータ接続を含むことができる。スポンサー付きデータ接続は、限定はしないが、スポンサー付きアプリケーションのための、宛先(たとえば、宛先に関連するアプリケーションサービスプロバイダなどの第三者)または(たとえば、デバイスユーザ以外の)ある他の者によって代金が支払われるか、または部分的に代金が支払われるデータ接続サービスを含むことができる。たとえば、スポンサー付きデータ接続は、宛先を介してアクセスネットワークに提供されるスポンサー付きデータ接続に関する接続しきい値を定義し得る、スポンサー付きデータ接続に関連する接続パラメータを含むことができる。たとえば、接続しきい値は、限定はしないが、スポンサー付きデータ接続を使用して交換可能なデータの量(たとえば、バイト数)、スポンサー付きデータ接続を使用することが可能なユーザの数、1ユーザあたりのデータ交換の量(たとえば、1ユーザあたり10メガバイト)、スポンサー付きデータ接続を使用する回数、スポンサー付きデータ接続が利用可能である時間(たとえば、時刻)、および/または他の接続パラメータを含み得る。
【００５７】
710において本方法は、受信したデータ接続を使用して宛先にアクセスするステップを含むことができる。たとえば、ワイヤレスデバイス上の宛先アクセス構成要素は、スポンサー付きリンクを使用して宛先にアクセスすることができる。
【００５８】
本方法は、712において、ワイヤレスデバイスに関連する1つまたは複数のアプリケーションに関するアプリケーションステータス情報を受信し提示するステップを随意に含むことができる。アプリケーションステータス情報は、限定はしないが、スポンサー付きデータ接続が利用可能であるか否か、スポンサー付きデータ接続のための残存するデータの量、スポンサー付きデータ接続のための利用可能な割当て量、および/または他のアプリケーションステータス情報を含み得る。たとえば、ワイヤレスデバイスは、サーバからアプリケーションステータス情報を受信することがあり、提示構成要素は、受信したアプリケーションステータス情報をワイヤレスデバイスのインターフェースに提示することがある。アクション712は方法700において任意の時間に起こり得ることに留意されたい。
【００５９】
たとえば、アプリケーションステータス情報は、ワイヤレスデバイスのディスプレイに提示され得る。たとえば、1つの可能なフォーマットは以下を含み得る。「<アプリケーション名>、<スポンサー付き>、<残存する割当て量:%>」(たとえば、ショッピングアプリケーション、スポンサー付き、残存するスポンサー付きデータ:10%)。別の例として、たとえば図10に示すような、ワイヤレスデバイスに表示されるゲージを使用してアプリケーションステータス情報を提示するステップがある。一態様では、ゲージは、アプリケーションのための残存する接続の量を表示することができる。たとえば、アプリケーションがスポンサー付きアプリケーションであるとき、ゲージは、特定のアプリケーションのための残存するスポンサー付き接続のパーセンテージまたは単位値(unit value)を表示し得る。アプリケーションステータス情報は様々な方法で表示され得ることを諒解されたい。
【００６０】
加えて、714において本方法は、データ接続が満了する可能性があること、および/または満了した可能性があることを知らせる割当て満了通知をユーザに提示するステップを随意に含むことができる。たとえば、ワイヤレスデバイスは、サーバから割当て通知を受信することがあり、割当てが満了したアプリケーションをユーザが選択したときに、提示構成要素は割当て満了通知をユーザに提示することがある。一態様では、たとえば、割当て通知は、限定はしないが、ユーザまたはデータの最大数が使用されたことを知らせる通知を含み得る。一態様では、割当てが満了するとき、および/または満了したとき、ワイヤレスデバイスはワイヤレスデバイスのユーザに、アプリケーションにアクセスするためのデータ接続を購入すること、使用する異なるスポンサー付きアプリケーションを選択することを促すプロンプトを提示することができ、かつ/またはユーザは、代替データ接続、たとえば別の3G接続、WiFi、またはイーサネット(登録商標)を使用することを促され得る。アクション714は方法700において任意の時間に起こり得ることに留意されたい。
【００６１】
一態様によるワイヤレスデバイスによって実行されるスクリーンショットを示す例が、図8〜図10に示されている。ここで図8を参照すると、一態様では、メインページ800がユーザに対し、ワイヤレスデバイス上に表示され得る。メインページ800は、ワイヤレスデバイス上で利用可能なスポンサー付き接続サービスに関する情報をユーザに提供する初期画面802を含み得る。たとえば、初期画面802は、ワイヤレスデバイス上で利用可能なスポンサー付き接続サービスに関する情報の中でも、スポンサー付き接続サービスの使用に関する条件、利用可能なスポンサー付きアプリケーション、および/またはユーザが接続サービスを試すことができるトライアル期間を含み得る。ワイヤレスデバイスの初期電源投入時にデバイス上に初期画面802が自動的に表示され得ることを諒解されたい。その後の電源投入時には、ユーザが初期画面802を要求したときに初期画面802が現れ得る。
【００６２】
メインページ800はまた、スポンサー付きアプリケーションリストアイコン804を含むことができる。ユーザがスポンサー付きアプリケーションリストアイコン804を選択したとき、図9に示すようにスポンサー付きアプリケーションリストアイコン804に隣接してスポンサー付きアプリケーションのリストが現れ得る。アプリケーションスポンサーリスト902は、利用可能なスポンサー付きアプリケーションに関する1つまたは複数のアプリケーションアイコン、たとえば904a〜904nを含むことができる。加えて、アプリケーションスポンサーリスト902はスクロール可能であって、列挙された利用可能なアプリケーションすべてをユーザが閲覧できるようにしてよい。アプリケーションアイコン904a〜904nは、様々な方法で表示され得る。たとえば、アプリケーションアイコン904a〜904nは、リストまたはマトリックス形態で表示されることがある。加えて、アプリケーションアイコン904a〜904nは、ランキングに基づいて降順に表示されて、最高ランクのアプリケーションが最初に表示されてよい。ランキングは、たとえば、ランキングの中でも、アプリケーションのためのデータ接続の利用可能性、アプリケーションの人気度(たとえば、アプリケーションを閲覧および/または使用しているユーザの数)、またはアプリケーションのユーザランキングに基づき得る。
【００６３】
ユーザがアプリケーションアイコン904aを選択したとき、それぞれのアプリケーションを起動することができ、ユーザはスポンサー付きデータ接続を介してアプリケーションとともに使用するアクセスネットワークにアクセス可能であり得る。一態様では、アプリケーションステータス情報908がアプリケーションアイコン904a〜904nの隣に表示されることがあり、それによりユーザは、スポンサー付き接続がそれぞれのアプリケーションに利用可能であるか否かを判断することができる。アプリケーションステータス情報908は、限定はしないが、スポンサー付きデータ接続が利用可能であるか否か、スポンサー付きデータ接続のための残存するデータの量、スポンサー付きデータ接続のための利用可能な割当て量、および/または他のアプリケーションステータス情報を含み得る。アプリケーションステータス情報908は、たとえばアプリケーションステータスの変化に基づいて色が変化するアイコンを使用して表示され得る。たとえば、アプリケーションがスポンサー付き接続に対応可能であるとき、たとえば、アプリケーションが残存割当て量を有し、トライアル期間が満了していないとき、アイコンは緑であり得る。一方、アプリケーションがもはやスポンサー付き接続に対応可能ではないとき、アイコンは灰色になり得る。たとえば、アプリケーションが利用可能な割当て量を使い果たしたとき、またはトライアル期間が満了したとき、アプリケーションはもはやスポンサー付き接続に対応可能ではないことがある。アプリケーションステータス情報908が利用可能な割当て量およびトライアル期間の影響を受けることがあり、接続タイプ、たとえば3Gスポンサー付き接続、別の3G接続、WiFi、イーサネット(登録商標)、および/または他の接続タイプに基づかないことがあることを諒解されたい。
【００６４】
一態様では、割当て満了通知906が表示されて、選択されたアプリケーションの利用可能な割当て量がもはや利用可能ではないことが示されることがある。たとえば、割当てが満了したアプリケーション、たとえばユーザまたはデータの最大数が使用されたアプリケーションをユーザが選択したとき、割当て満了通知906がユーザに表示されて、アプリケーションはもはやスポンサー付きアプリケーションとして利用可能ではないことがユーザに通知されることがある。一方、ユーザがアプリケーションを使用しているときに、アプリケーションの割当てが満了した場合、たとえばトライアル期間が満了した場合、割当て満了通知906がユーザに表示されて、割当てが満了したことがユーザに通知されることがある。割当て満了通知906を受信すると、ユーザは使用する異なるスポンサー付きアプリケーションを選択することがあり、ユーザはアプリケーションにアクセスするためにデータ接続を購入するように促されることがあり、かつ/またはユーザは代替的データ接続、たとえば別の3G接続、WiFi、またはイーサネット(登録商標)を使用するように促されることがある。
【００６５】
再び図8を参照すると、スポンサー付きアプリケーションリストアイコン804は、限定はしないが、デスクトップ上のウィジェットおよび/またはアイコンであり得る。ユーザは、スポンサー付きアプリケーションリストアイコン804をメインページ800上のどこにでも移動できる。加えて、ユーザはスポンサー付きアプリケーションリストアイコン804の画像のサイズを変更すること、および/または画像を変更することができる。ユーザがスポンサー付きアプリケーションリストアイコン804上で右クリックしたとき、提供されるサービスに関する情報とともにメニューが現れ得る。ただし、ワイヤレスデバイス上に提供されたスポンサー付き接続サービスを使用するためのトライアル期間が満了するまで、かつ/またはユーザがワイヤレスデバイスからスポンサー付き接続サービスアプリケーションをアンインストールするまで、ユーザはメインページ800からスポンサー付きアプリケーションリストアイコン804を削除できない場合があることを諒解されたい
【００６６】
メインページ800はスポンサー付きアプリケーションスナップショットアイコン808を追加的に含むことができ、アプリケーションスナップショットアイコン808は、ユーザがスナップショットアイコン808を選択したときに、図10に示すようにすべてのスポンサー付きアプリケーション604a〜604nの現在のステータス1002a〜1002nのスナップショットを表示することができる。一態様では、スポンサー付きアプリケーション604a〜604nの現在のステータス1002a〜1002nが、たとえば、スポンサー付きアプリケーションのための残された接続の量を示すゲージディスプレイを使用して表示され得る。ゲージ、たとえば矢印がゼロ値になったとき、スポンサー付き接続はもはや利用可能ではないことがあり、ユーザは代替的接続、たとえばユーザによって代金が支払われるインターネット接続を使用してアプリケーションにアクセスする必要があり得る。スポンサー付きアプリケーションの現在のステータスはまた、限定はしないが、アプリケーション名、アプリケーションのスポンサー、および残存する割当て量、たとえば残存するデータのパーセンテージまたはアプリケーションになおアクセスできるユーザの数を含むことができる。したがって、スポンサー付きアプリケーションスナップショットアイコン808はユーザに対し、利用可能なスポンサー付きアプリケーションおよびアプリケーションのための残存割当て量のクイックビューを提供することができる。
【００６７】
再び図8を参照すると、メインページ800は通知エリア806をさらに含み得る。通知エリア806は、ユーザのアクションに基づいて様々な情報を表示することができる。一態様では、ユーザがスポンサー付きアプリケーションを選択したとき、通知エリア806は、データ接続のスポンサーであるサービスプロバイダに関する情報を表示することができる。ユーザが、あるアプリケーションから別のアプリケーションに切り替えたとき、通知エリア806は当該変更に基づく情報を表示することができる。
【００６８】
次に図11を参照すると、一態様による接続システム内で動作可能な例示的なワイヤレスデバイス102が示される。一態様では、ワイヤレスデバイス102は、本明細書で説明する構成要素および機能のうちの1つまたは複数に関連する処理機能を実行するためのプロセッサ80を含んでよい。プロセッサ80は、プロセッサまたはマルチコアプロセッサの単一セットまたは複数セットを含んでもよい。その上、プロセッサ80は、統合処理システムおよび/または分散処理システムとして実装されてもよい。
【００６９】
ワイヤレスデバイス102は、プロセッサ80によって実行されているアプリケーションのローカルバージョンを記憶するためなどの、メモリ82をさらに含み得る。メモリ82は、ランダムアクセスメモリ(RAM)、読取り専用メモリ(ROM)、テープ、磁気ディスク、光ディスク、揮発性メモリ、不揮発性メモリ、およびそれらの任意の組合せなど、コンピュータが使用できるタイプのメモリを含み得る。
【００７０】
さらに、ワイヤレスデバイス102は、本明細書で説明するように、ハードウェア、ソフトウェア、およびサービスを利用して、1つまたは複数の相手との通信を確立し、維持することを行う通信構成要素84を含み得る。通信構成要素84は、ワイヤレスデバイス102上の構成要素同士間、ならびにワイヤレスデバイス102と、通信ネットワーク上に位置するデバイスおよび/またはワイヤレスデバイス102にシリアル接続もしくはローカル接続されたデバイスなどの外部デバイスとの間の通信を搬送し得る。たとえば、通信構成要素84は、1つまたは複数のバスを含んでもよく、外部デバイスとのインターフェースをとるように動作可能な送信機および受信機にそれぞれ関連する送信チェーン構成要素および受信チェーン構成要素をさらに含んでもよい。
【００７１】
さらに、ワイヤレスデバイス102は、本明細書で説明する態様に関連して使用される情報、データベース、およびプログラムの大容量記憶を可能にするハードウェアおよび/またはソフトウェアの任意の適切な組合せであり得るデータ記憶装置86をさらに含んでもよい。たとえば、データ記憶装置86は、プロセッサ80によって現在実行されていないアプリケーションのためのデータリポジトリであり得る。
【００７２】
ワイヤレスデバイス102は、ワイヤレスデバイス102のユーザからの入力を受信するように動作可能であり、ユーザへの提示のための出力を生成するようにさらに動作可能なユーザインターフェース構成要素88をさらに含み得る。ユーザインターフェース構成要素88は、限定はしないが、キーボード、ナンバーパッド、マウス、タッチセンシティブディスプレイ、ナビゲーションキー、ファンクションキー、マイクロフォン、音声認識構成要素、ユーザからの入力を受信することが可能な任意の他の機構、またはそれらの任意の組合せを含む1つまたは複数の入力デバイスを含み得る。さらに、ユーザインターフェース構成要素88は、限定はしないが、ディスプレイ、スピーカ、触覚フィードバック機構、プリンタ、ユーザに出力を提示することが可能な任意の他の機構、またはそれらの任意の組合せを含む1つまたは複数の出力デバイスを含み得る。
【００７３】
ワイヤレスデバイス102はまた、アプリケーションの使用に関連するデータ接続を要求するように動作可能なアプリケーション要求構成要素10(図1)を含み得る。加えて、ワイヤレスデバイス102は、1つまたは複数のアプリケーション12に関連する受信したデータ接続を使用して、1つまたは複数の宛先にアクセスするように動作可能な宛先アクセス構成要素36を含み得る。ワイヤレスデバイス102はまた、アプリケーションステータス情報39を受信し提示するように動作可能な提示構成要素38を含み得る。一態様では、ユーザインターフェース構成要素88は、アプリケーション要求構成要素10、宛先アクセス構成要素36、および/または提示構成要素38の動作に対応するメッセージを送信および/または受信することができる。加えて、プロセッサ80は、アプリケーション要求構成要素10、宛先アクセス構成要素36、および提示構成要素38を実行することができ、メモリ82またはデータ記憶装置86はそれらを記憶することができる。
【００７４】
次に図12を参照すると、さらに別の態様による接続システム内で動作可能な例示的なサーバデバイス106が示される。サーバ106は、アクセスネットワーク104に関するネットワーク接続問題を管理する。サーバ106は、本明細書で説明する構成要素および機能のうちの1つまたは複数に関連する処理機能を実行するためのプロセッサ構成要素70を含んでよい。プロセッサ構成要素70は、プロセッサまたはマルチコアプロセッサの単一セットまたは複数セットを含んでもよい。その上、プロセッサ構成要素70は、統合処理システムおよび/または分散処理システムとして実装されてもよい。
【００７５】
サーバ106は、プロセッサ構成要素70によって実行されているアプリケーションのローカルバージョンを記憶するためなどの、メモリ72をさらに含み得る。メモリ72は、ランダムアクセスメモリ(RAM)、読取り専用メモリ(ROM)、およびそれらの組合せを含み得る。
【００７６】
さらに、サーバ106は、本明細書で説明するように、ハードウェア、ソフトウェア、およびサービスを利用して、1つまたは複数の相手との通信を確立し、維持することを行う通信構成要素74を含み得る。通信構成要素74は、サーバ106上の構成要素同士間、ならびにサーバ106と、通信ネットワーク上に位置するデバイスおよび/またはサーバ106にシリアル接続もしくはローカル接続されたデバイスなどの外部デバイスとの間の通信を搬送し得る。
【００７７】
さらに、サーバ106は、本明細書で説明する態様に関連して使用される情報、データベース、およびプログラムの大容量記憶を可能にするハードウェアおよび/またはソフトウェアの任意の適切な組合せであり得るデータ記憶装置76をさらに含んでもよい。たとえば、データ記憶装置76は、現在実行されていないアプリケーションのためのデータリポジトリであり得る。
【００７８】
サーバ106はまた、宛先からのデータ接続を求める要求を受信し、宛先がアクセスネットワークへのスポンサー付きデータ接続を提供するスポンサー付き宛先であるか否かを判断するように動作可能なデータ接続管理構成要素108(図1)を含み得る。サーバ106はまた、アプリケーションとともに使用するアクセスネットワークを介したワイヤレスデバイスへのデータ接続を提供するように動作可能なアクセス構成要素22を含み得る。一態様では、通信構成要素74は、データ接続管理構成要素108および/またはアクセス構成要素22の動作に対応するメッセージを送信および/または受信することができる。さらに、プロセッサ70はデータ接続管理構成要素108およびアクセス構成要素22を実行することができ、メモリ72はそれらを記憶することができる。
【００７９】
開示する態様の1つの変形形態は、ワイヤレスデバイスに関するユーザのデータ接続プランに基づいてスポンサー付きデータ接続を有効にすることを含み得る。たとえば、ユーザが無制限の量のデータ接続に関するプランを有するとき、第三者サービスプロバイダは、スポンサー付きデータ接続の提供を拒否することがあり、その理由は、ユーザがすでに、追加料金を請求されることなくアクセスネットワークにアクセス可能であり得ることである。一方、ユーザがアクセスネットワークに対する限られた量のデータ接続を有するとき、第三者サービスプロバイダは、スポンサー付きデータ接続を提供すること、および/またはユーザの接続プランに基づいてスポンサー付きデータ接続を比例配分することがある。
【００８０】
次に、図13を参照すると、データ接続を提供するように構成されたシステム1300が示されている。たとえば、システム1300は、送信機、モバイルデバイスなどの中に少なくとも部分的に常駐してもよい。システム1300は、プロセッサ、ソフトウェア、またはそれらの組合せ(たとえば、ファームウェア)によって実施される機能を表す機能ブロックであり得る機能ブロックを含むものとして表されていることを諒解されたい。システム1300は、データ接続の提供を容易にする電気的構成要素の論理的グルーピング1302を含み得る。たとえば、論理グルーピング1302は、ワイヤレスデバイスから、ワイヤレスデバイス上でのアプリケーションの使用に関連する宛先へのデータ接続を求める要求を受信するための構成要素1304を含むことができる。さらに、論理グルーピング1302は、宛先がスポンサー付き宛先であるか否かを判断するための構成要素1306を含むことができる。加えて、論理グルーピング1302は、宛先がスポンサー付き宛先であるときに、ワイヤレスデバイス上でアプリケーションを使用するために、アクセスネットワークを介したワイヤレスデバイスからスポンサー付き宛先へのスポンサー付きデータ接続を有効にするための構成要素1308を含むことができる。さらに、システム1300は、電気的構成要素1304、1306、および1308に関連する機能を実行するための命令を保持するメモリ1310を含み得る。電気的構成要素1304、1306、および1308はメモリ1310の外部にあるものとして示されているが、これらのうちの1つまたは複数はメモリ1310内に存在してもよいことを理解されたい。
【００８１】
次に、図14を参照すると、データ接続を要求するように構成されたシステム1400が示されている。たとえば、システム1400は、送信機、モバイルデバイスなどの中に少なくとも部分的に常駐してもよい。システム1400は、プロセッサ、ソフトウェア、またはそれらの組合せ(たとえば、ファームウェア)によって実施される機能を表す機能ブロックであり得る機能ブロックを含むものとして表されていることを諒解されたい。システム1400は、データ接続の要求を容易にする電気的構成要素の論理的グルーピング1402を含み得る。たとえば、論理グルーピング1402は、データ接続を求める要求をデータ接続管理構成要素に送るための構成要素であって、アプリケーションの使用に関連する宛先を要求が識別する、構成要素1404を含むことができる。さらに、論理グルーピング1402は、要求に応答して宛先にアクセスするためのデータ接続を確立するための構成要素であって、宛先がスポンサー付き宛先であると判断されたときに、アプリケーションとともに使用する宛先へのスポンサー付きデータ接続をデータ接続が含み得る、構成要素1406を含むことができる。加えて、論理グルーピング1402は、データ接続を使用して宛先にアクセスするための構成要素1408を含むことができる。さらに、システム1400は、電気的構成要素1404、1406、および1408に関連する機能を実行するための命令を保持するメモリ1410を含み得る。電気的構成要素1404、1406、および1408はメモリ1410の外部にあるものとして示されているが、これらのうちの1つまたは複数はメモリ1410内に存在してもよいことを理解されたい。
【００８２】
開示する態様の別の変形形態は、スポンサー付きデータ接続に関連するアプリケーションを使用することに対する報奨をユーザに提供することを含み得る。たとえば、ユーザがスポンサー付きアプリケーションを頻繁に使用するとき、ユーザは、スポンサー付きアプリケーションを引き続き使用するようにユーザを促すための追加のスポンサー付きデータ接続を受信することがある。その上、ユーザがスポンサー付きアプリケーションを使用して購入を行うとき、ユーザは、他の報奨、たとえば割引および/またはスポンサー付きアプリケーションを使用して引き続き購入を行うためのインセンティブを受け取ることがある。
【００８３】
本出願で使用される場合、「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラム、および/またはコンピュータであり得るが、これらに限定されない。例として、コンピューティングデバイス上で実行されるアプリケーションと、そのコンピューティングデバイスの両方が、構成要素であり得る。1つまたは複数の構成要素が、プロセスおよび/または実行スレッド内に常駐することができ、1つの構成要素が、1つのコンピュータ上に局在化されてよく、かつ/または2つ以上のコンピュータ間に分散されてよい。さらに、これらの構成要素は、様々なデータ構造を記憶している様々なコンピュータ可読媒体から実行することができる。これらの構成要素は、信号によって、ローカルシステム、分散システム内の別の構成要素と対話し、かつ/またはインターネットなどのネットワークを介して他のシステムと対話する1つの構成要素からのデータのような1つまたは複数のデータパケットを有する信号に従うことなどによって、ローカルプロセスおよび/またはリモートプロセスによって通信し得る。
【００８４】
さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、遠隔局、遠隔端末、アクセス端末、ユーザ端末、端末、通信デバイス、ユーザエージェント、ユーザデバイス、またはユーザ機器(UE)と呼ばれることもある。ワイヤレス端末は、セルラー電話、衛星電話、コードレス電話、セッション開始プロトコル(SIP)電話、ワイヤレスローカルループ(WLL)局、携帯情報端末(PDA)、ワイヤレス接続機能を有するハンドヘルドデバイス、コンピューティングデバイス、またはワイヤレスモデムに接続された他の処理デバイスであり得る。その上、様々な態様が、基地局に関連して、本明細書で説明される。基地局は、ワイヤレス端末と通信するために使用されてもよく、アクセスポイント、ノードB、またはある他の用語で呼ばれることもあり得る。
【００８５】
その上、「または」という用語は、排他的な「または」ではなく、包括的な「または」を意味するものとする。すなわち、別段の規定がない限り、または文脈から明白でない限り、「XはAまたはBを使用する」という語句は、自然な包括的置換のいずれかを意味するものとする。すなわち、「XはAまたはBを使用する」という語句は、以下の例のいずれかによって成立する。XはAを使用する。XはBを使用する。またはXはAとBの両方を使用する。さらに、本出願および添付の特許請求の範囲で使用する冠詞「a」および「an」は、別段の規定がない限り、または単数形を示すことが文脈から明白でない限り、概して「1つまたは複数」を意味するものと解釈すべきである。
【００８６】
本明細書で説明する技法は、CDMA、TDMA、FDMA、OFDMA、SC-FDMAおよび他のシステムなど、様々なワイヤレス通信システムに使用され得る。「システム」および「ネットワーク」という用語は、しばしば互換的に使用される。CDMAシステムは、Universal Terrestrial Radio Access(UTRA)、cdma2000などの無線技術を実装することができる。UTRAは、Wideband-CDMA(WCDMA(登録商標))およびCDMAの他の変形形態を含む。さらに、cdma2000は、IS-2000、IS-95およびIS-856規格をカバーする。TDMAシステムは、Global System for Mobile Communications(GSM(登録商標))などの無線技術を実装することができる。OFDMAシステムは、Evolved UTRA(E-UTRA)、Ultra Mobile Broadband(UMB)、IEEE802.11(Wi-Fi)、IEEE802.16(WiMAX)、IEEE802.20、Flash-OFDM(登録商標)などの無線技術を実装し得る。UTRAおよびE-UTRAは、Universal Mobile Telecommunication System(UMTS)の一部である。3GPP Long Term Evolution(LTE)は、ダウンリンク上ではOFDMAを採用し、アップリンク上ではSC-FDMAを採用するE-UTRAを使用するUMTSのリリースである。UTRA、E-UTRA、UMTS、LTEおよびGSM(登録商標)は、「3rd Generation Partnership Project」(3GPP)と称する組織からの文書に記載されている。さらに、cdma2000およびUMBは、「3rd Generation Partnership Project 2」(3GPP2)と称する組織からの文書に記載されている。さらに、そのようなワイヤレス通信システムは、不対無資格スペクトル、802.xxワイヤレスLAN、Bluetooth(登録商標)および任意の他の短距離または長距離ワイヤレス通信技法をしばしば使用するピアツーピア(たとえば、モバイルツーモバイル)アドホックネットワークシステムをさらに含み得る。
【００８７】
いくつかのデバイス、構成要素、モジュールなどを含み得るシステムに関して、様々な態様または特徴が提示される。様々なシステムが、追加のデバイス、構成要素、モジュールなどを含んでもよく、かつ/または各図に関連して論じられるデバイス、構成要素、モジュールなどのすべてを含むとは限らないことを、理解および諒解されたい。これらの手法の組合せも使用され得る。
【００８８】
本明細書で開示する実施形態に関して説明する様々な例示的な論理、論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または、本明細書で説明する機能を実行するように設計されたそれらの任意の組合せによって、実装または実行されてもよい。汎用プロセッサはマイクロプロセッサであってよいが、代替として、汎用プロセッサは、任意の従来のプロセッサ、コントローラ、マイクロコントローラ、または状態機械であってもよい。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、または、任意の他のそのような構成として実装され得る。さらに、少なくとも1つのプロセッサは、上述のステップおよび/またはアクションの1つまたは複数を実行するように動作可能な、1つまたは複数のモジュールを含み得る。
【００８９】
さらに、本明細書で開示した態様に関して説明した方法またはアルゴリズムのステップおよび/またはアクションは、直接ハードウェアで実施するか、プロセッサによって実行されるソフトウェアモジュールで実施するか、またはその2つの組合せで実施され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体中に常駐し得る。例示的な記憶媒体は、プロセッサが記憶媒体から情報を読み取り、記憶媒体に情報を書き込み得るようにプロセッサに結合され得る。代替として、記憶媒体はプロセッサと一体であり得る。さらに、いくつかの態様では、プロセッサおよび記憶媒体はASIC中に常駐し得る。さらに、ASICはユーザ端末中に常駐し得る。代替として、プロセッサおよび記憶媒体は、ユーザ端末中に個別構成要素として常駐し得る。さらに、いくつかの態様では、方法またはアルゴリズムのステップおよび/またはアクションは、コンピュータプログラム製品に組み込まれ得る、機械可読媒体および/またはコンピュータ可読媒体上のコードおよび/または命令の1つまたは任意の組合せ、あるいはそのセットとして常駐し得る。
【００９０】
1つまたは複数の態様では、説明する機能は、ハードウェア、ソフトウェア、ファームウェア、またはそれらの任意の組合せで実装され得る。各機能は、ソフトウェアで実装される場合、1つまたは複数の命令またはコードとしてコンピュータ可読媒体上に記憶されるか、または、コンピュータ可読媒体上で送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送もしくは記憶するために使用でき、コンピュータによってアクセスできる、任意の他の媒体を含み得る。また、いかなる接続もコンピュータ可読媒体と呼ばれ得る。たとえば、ソフトウェアが、同軸ケーブル、光ファイバケーブル、ツイストペア、デジタル加入者回線(DSL)、または、赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または、赤外線、無線、およびマイクロ波などのワイヤレス技術は、媒体の定義に含まれる。本明細書で使用するディスク(disk)およびディスク(disc)は、コンパクトディスク(disc)(CD)、レーザディスク（登録商標）(disc)、光ディスク(disc)、デジタル多用途ディスク(disc)(DVD)、フレキシブルディスク(disk)およびブルーレイディスク(disc)を含み、ディスク(disk)は、通常、データを磁気的に再生し、ディスク(disc)は、通常、データをレーザで光学的に再生する。上記の組合せもコンピュータ可読媒体の範囲内に含めるべきである。
【００９１】
上記の開示は、例示的な態様および/または実施形態について論じたが、添付の特許請求の範囲によって定義される、説明した態様および/または実施形態の範囲から逸脱することなく、様々な変更および改変を本明細書で行うことができることに留意されたい。さらに、説明した態様および/または実施形態の要素は、単数形で説明または請求されていることがあるが、単数形に限定することが明示的に述べられていない限り、複数形が企図される。さらに、任意の態様および/または実施形態の全部または一部は、別段に記載されていない限り、任意の他の態様および/または実施形態の全部または一部とともに利用され得る。
【符号の説明】
【００９２】
10  アプリケーション要求構成要素
12  アプリケーション
14  要求元構成要素
16  宛先識別子(ID)
18  検知構成要素
20  監視構成要素
22  アクセス構成要素
24  接続パラメータ
26  フィルタリング構成要素
28  デバイス識別子(ID)、ワイヤレスデバイス識別子(ID)
30  宛先
32  デバイス識別子データ記憶装置
33  デバイス識別子、識別子
34  宛先
36  宛先アクセス構成要素
38  提示構成要素
39  アプリケーションステータス情報
40  支払い構成要素
42  通知構成要素
44  しきい値判断器構成要素
45  データ接続しきい値
70  プロセッサ構成要素、プロセッサ
72  メモリ
74  通信構成要素
76  データ記憶装置
80  プロセッサ
82  メモリ
84  通信構成要素
86  データ記憶装置
88  ユーザインターフェース構成要素
100  接続システム
102  ワイヤレスデバイス
104  アクセスネットワーク
106  サーバおよび/またはコンピューティングデバイス、サーバ/コンピューティングデバイス、サーバ
108  データ接続管理構成要素、データ管理構成要素、ISP
109  不参加ISP
110  スポンサー付き接続またはリンク、接続リンク、スポンサー付きリンク
111  参照
500  方法
600  方法
604a〜604n  スポンサー付きアプリケーション
700  方法
800  メインページ
802  初期画面
804  スポンサー付きアプリケーションリストアイコン
806  通知エリア
808  スポンサー付きアプリケーションスナップショットアイコン、スナップショットアイコン
902  アプリケーションスポンサーリスト
904a〜904n  アプリケーションアイコン、スポンサー付きアプリケーション
906  割当て満了通知
908  アプリケーションステータス情報
1002a〜1002n  現在のステータス
1300  システム
1302  論理グルーピング
1304  電気的構成要素
1306  電気的構成要素
1308  電気的構成要素
1310  メモリ
1400  システム
1402  論理グルーピング
1404  電気的構成要素
1406  電気的構成要素
1408  電気的構成要素
1410  メモリ
【図１】
0006042491.tif 000002
【図２】
0006042491.tif 000003
【図３】
0006042491.tif 000004
【図４】
0006042491.tif 000005
【図５】
0006042491.tif 000006
【図６】
0006042491.tif 000007
【図７】
0006042491.tif 000008
【図８】
0006042491.tif 000009
【図９】
0006042491.tif 000010
【図１０】
0006042491.tif 000011
【図１１】
0006042491.tif 000012
【図１２】
0006042491.tif 000013
【図１３】
0006042491.tif 000014
【図１４】
0006042491.tif 000015